(57)【要約】【課題】提供した広告を利用者が実際に閲覧したことの確認された広告閲覧履歴に基づいて次に提供する広告を選択する広告管理システムを提供する。【解決手段】印刷装置２０は複写サービスの利用者Ｕに対し、広告管理サーバ１０から受信した広告へのアクセス情報８０（Ｆ２）を二次元コード化して印刷物９０に添付し出力する（Ｆ３）。利用者Ｕはこのアクセス情報８０を携帯端末５０で読み取り（Ｆ４）、アクセス情報８０の示すインターネット６０上の広告ページ７２にアクセスして（Ｆ５／Ｆ６）、複写サービスを無料で利用できるチケットコード８１を取得する（Ｆ７）。チケットコード８１を次回の複写サービス利用時に印刷装置２０に入力すると（Ｆ８）、広告管理サーバ１０はこのチケットコード８１を受信して（Ｆ９）、広告ページ７２に実際にアクセスされたことを認識し、このアクセス履歴に基づいて利用者Ｕに次に提供する広告を選択する。【選択図】図１
2010204928.tif 000002
【特許請求の範囲】
【請求項１】
出力装置から出力されたアクセス情報を用いて利用者がアクセスすることにより閲覧可能な複数の広告に対応する複数のアクセス情報の中から前記出力装置へ送信するアクセス情報を抽出する広告管理システムであって、
前記出力装置から出力されたアクセス情報を用いてアクセスされた広告のアクセス履歴を記憶する記憶部と、
前記アクセス履歴に基づいて前記複数の広告の中から前記利用者に提供する広告を選択し、前記複数のアクセス情報の中から前記選択した広告に対応するアクセス情報を抽出する抽出部と、
を有する
ことを特徴とする広告管理システム。
【請求項２】
前記記憶部と、
前記抽出部と、
前記抽出部が抽出した前記アクセス情報を前記出力装置へ送信する送信部と、
を備えたサーバを有する
ことを特徴とする請求項１に記載の広告管理システム。
【請求項３】
前記出力装置から出力されたアクセス情報を用い、通信によってＷｅｂ上の広告にアクセスする携帯端末を有する
ことを特徴とする請求項１または２に記載の広告管理システム。
【請求項４】
前記携帯端末は、前記アクセス情報を読み取って取得する読取部を有する
ことを特徴とする請求項３に記載の広告管理システム。
【請求項５】
前記出力装置の利用時に利用者の識別情報を取得する取得部を有し、
前記記憶部は、前記アクセス情報を用いて前記広告へアクセスした利用者の識別情報に該利用者の前記アクセス履歴を対応付けて記憶することにより利用者毎にアクセス履歴を記憶し、
前記抽出部は、前記取得部が取得した識別情報に基づいて識別した利用者に対応する前記記憶部内のアクセス履歴に基づいて前記抽出を行う
ことを特徴とする請求項１乃至４のいずれか１つに記載の広告管理システム。
【請求項６】
前記利用者に提供する広告は、前記アクセス履歴のない広告である
ことを特徴とする請求項１乃至５のいずれか１つに記載の広告管理システム。
【請求項７】
前記利用者に提供する広告は、前記アクセス履歴があり、かつ、そのアクセス履歴以降に更新履歴のある広告である
ことを特徴とする請求項１乃至５のいずれか１つに記載の広告管理システム。
【請求項８】
前記複数の広告は広告対象のジャンルに基づいて分類され、
前記利用者に提供する広告は、前記アクセス履歴のある広告と同ジャンルに分類されている他の広告、または、類似ジャンルに分類されている広告である
ことを特徴とする請求項１乃至５のいずれか１つに記載の広告管理システム。
【請求項９】
前記出力装置は、前記アクセス情報を紙媒体に印刷して出力する印刷装置を含み、
該印刷装置を有する
ことを特徴とする請求項１乃至８のいずれか１つに記載の広告管理システム。
【請求項１０】
請求項９に記載の広告管理システムに用いられる印刷装置。
【発明の詳細な説明】
【技術分野】
【０００１】
本発明は、広告管理システムおよび印刷装置に係り、特に、各種のサービスなどを通して提供する広告を複数の広告の中から選択する広告管理システム、および、広告情報を印刷して出力する印刷装置に関する。
【背景技術】
【０００２】
各種のサービスを利用する利用者にそのサービスを通して広告を提供する広告提供形態は一般化しており、複数の広告の中から利用者に提供する広告を選択する場合は、広告効果を高められるような選択方法が取り入れられている。
【０００３】
たとえば、動画や音声などのコンテンツに広告を挿入して配信するコンテンツ配信サービスにおいては、コンテンツと共に配信・提供した広告は利用者（視聴者）が視聴したものとして視聴履歴を管理し、この視聴履歴に基づいて同一広告が重複提供もしくは上限回数を超えて提供されないように広告を選択する広告選択装置および広告選択方法がある（たとえば、特許文献１参照）。
【先行技術文献】
【特許文献】
【０００４】
【特許文献１】特開２００２−３６６８３３号公報
【発明の概要】
【発明が解決しようとする課題】
【０００５】
上記の視聴履歴は、実質的には広告の提供履歴であり、提供した広告を利用者が実際に視聴したか否かを把握して履歴を管理しているものではない。そのため、一度提供されて再提供に制限（重複提供制限／上限回数制限）の掛かった広告が実際には視聴されていなかった場合は、その広告による広告効果が低下し、広告主の期待する広告効果が得られなくなって損失を招く可能性がある。
【０００６】
本発明は、上記の問題を解決しようとするものであり、提供した広告を利用者が実際に閲覧したことの確認された広告閲覧履歴に基づいて次に提供する広告を選択することができる広告管理システムおよび印刷装置を提供することを目的としている。
【課題を解決するための手段】
【０００７】
かかる目的を達成するための本発明の要旨とするところは、次の各項の発明に存する。
【０００８】
［１］出力装置から出力されたアクセス情報を用いて利用者がアクセスすることにより閲覧可能な複数の広告に対応する複数のアクセス情報の中から前記出力装置へ送信するアクセス情報を抽出する広告管理システムであって、
前記出力装置から出力されたアクセス情報を用いてアクセスされた広告のアクセス履歴を記憶する記憶部と、
前記アクセス履歴に基づいて前記複数の広告の中から前記利用者に提供する広告を選択し、前記複数のアクセス情報の中から前記選択した広告に対応するアクセス情報を抽出する抽出部と、
を有する
ことを特徴とする広告管理システム。
【０００９】
上記発明では、利用者は出力装置から出力されたアクセス情報を用いて広告にアクセスし、広告を閲覧することができる。アクセス情報の出力形態は、表示出力や印刷出力などの形態が可能である。このように、利用者に広告閲覧のためのアクセス行為（アクセス情報を用いた広告へのアクセス）を求めることで、実際にアクセスされて閲覧された広告と、実際にはアクセスされずに閲覧されていない広告とを正確に把握することができる。すなわち、アクセス情報を通じて提供した広告を利用者が実際に閲覧したことの広告閲覧履歴を正確に認識することができる。
【００１０】
そして、利用者が実際にアクセスした広告のアクセス履歴（広告閲覧履歴）を記憶部に記憶して管理し、次に複数の広告の中から利用者に提供する広告を選択してアクセス情報を抽出する際は、この実際のアクセス履歴に基づいて選択および抽出を行う。このような利用者の実際のアクセス履歴（広告閲覧履歴）に基づくことで、利用者にとって広告効果の高い適宜な広告などを選択し、そのアクセス情報を抽出できるようになる。
【００１１】
［２］前記記憶部と、
前記抽出部と、
前記抽出部が抽出した前記アクセス情報を前記出力装置へ送信する送信部と、
を備えたサーバを有する
ことを特徴とする［１］に記載の広告管理システム。
【００１２】
上記発明では、アクセス履歴の記憶と、アクセス履歴に基づいた広告の選択およびアクセス情報の抽出と、抽出したアクセス情報の出力装置への送信とがサーバによって実現される。
【００１３】
［３］前記出力装置から出力されたアクセス情報を用い、通信によってＷｅｂ上の広告にアクセスする携帯端末を有する
ことを特徴とする請求項１または２に記載の広告管理システム。
【００１４】
上記発明では、利用者は出力装置から出力されたアクセス情報を自分の携帯端末などに入力し、そのアクセス情報を用いた携帯端末の通信によってＷｅｂ上の広告にアクセスし、携帯端末上で広告を閲覧することができる。また、このように携帯端末からアクセスされた広告はアクセス履歴（広告閲覧履歴）が記憶される。
【００１５】
［４］前記携帯端末は、前記アクセス情報を読み取って取得する読取部を有する
ことを特徴とする［３］に記載の広告管理システム。
【００１６】
上記発明では、表示出力や印刷出力などによるアクセス情報を携帯端末で読み取って端末内に自動入力することができ、アクセス情報を手入力する場合に比べて入力操作が簡単になる。
【００１７】
［５］前記出力装置の利用時に利用者の識別情報を取得する取得部を有し、
前記記憶部は、前記アクセス情報を用いて前記広告へアクセスした利用者の識別情報に該利用者の前記アクセス履歴を対応付けて記憶することにより利用者毎にアクセス履歴を記憶し、
前記抽出部は、前記取得部が取得した識別情報に基づいて識別した利用者に対応する前記記憶部内のアクセス履歴に基づいて前記抽出を行う
ことを特徴とする［１］乃至［４］のいずれか１つに記載の広告管理システム。
【００１８】
上記発明では、出力装置から出力されたアクセス情報を用いて広告へアクセスした（広告を閲覧した）利用者の識別情報にその利用者のアクセス履歴を対応付けて記憶することにより、利用者毎にアクセス履歴を記憶する。利用者による出力装置の利用時には、利用者から取得した識別情報に基づいてその利用者を識別し、その利用者に対応するアクセス履歴に基づいてその利用者に提供する広告の選択およびそのアクセス情報の抽出を行う。これにより、利用者毎に広告効果の高い適宜な広告などを選択し提供できるようになる。
【００１９】
［６］前記利用者に提供する広告は、前記アクセス履歴のない広告である
ことを特徴とする［１］乃至［５］のいずれか１つに記載の広告管理システム。
【００２０】
上記発明では、実際にアクセス（閲覧）された広告を除いた、アクセス（閲覧）されていない広告を選択して提供できるようになる。たとえば、以前に提供したが実際にはアクセスされていなかった広告などは再提供されるようになる。この実際にアクセスされた広告の重複提供防止と、実際にはアクセスされていなかった広告の再提供によって、広告効果が高められる。
【００２１】
［７］前記利用者に提供する広告は、前記アクセス履歴があり、かつ、そのアクセス履歴以降に更新履歴のある広告である
ことを特徴とする［１］乃至［５］のいずれか１つに記載の広告管理システム。
【００２２】
上記発明では、実際にアクセス（閲覧）されているが、そのアクセス以降に更新されている広告を選択して提供できるようになる。これにより、利用者が実際に閲覧した利用者の嗜好に沿った広告の更新情報（更新後の広告）を優先的に提供することができ、広告効果が高められる。
【００２３】
［８］前記複数の広告は広告対象のジャンルに基づいて分類され、
前記利用者に提供する広告は、前記アクセス履歴のある広告と同ジャンルに分類されている他の広告、または、類似ジャンルに分類されている広告である
ことを特徴とする［１］乃至［５］のいずれか１つに記載の広告管理システム。
【００２４】
上記発明では、実際にアクセス（閲覧）された広告と広告対象（広告の対象商品や対象サービスなど）が同ジャンルに分類されている他の広告（同カテゴリーの他の広告）、または、類似ジャンルに分類されている広告（類似カテゴリーの広告）を選択して提供できるようになる。これにより、利用者が実際に閲覧した利用者の嗜好に沿った広告と対象の近似する広告を優先的に提供することができ、広告効果が高められる。
【００２５】
［９］前記出力装置は、前記アクセス情報を紙媒体に印刷して出力する印刷装置を含み、
該印刷装置を有する
ことを特徴とする［１］乃至［８］のいずれか１つに記載の広告管理システム。
【００２６】
上記発明では、出力装置に含まれる印刷装置によってアクセス情報が紙媒体に印刷されて出力される。たとえば、印刷装置を用いた複写サービスなどにおいて、原稿の複写印刷を行う紙媒体（印刷物）にアクセス情報を印刷（付加）して出力するようなことができる。複写サービスの利用者は、この複写印刷が行われた紙媒体に印刷されているアクセス情報を用いて広告にアクセスし閲覧することができる。
【００２７】
［１０］［９］に記載の広告管理システムに用いられる印刷装置。
【００２８】
上記発明では、複数の広告の中から選択した広告をそのアクセス情報にて利用者に提供する広告管理システムにおいて、利用者による印刷利用時に紙媒体（印刷物）に上記のアクセス情報を印刷して出力する印刷装置を提供することができる。
【発明の効果】
【００２９】
本発明の広告管理システムおよび印刷装置によれば、提供した広告を利用者が実際に閲覧したことの確認された広告閲覧履歴に基づいて次に提供する広告を選択するので、高い広告効果をもたらすことができる。
【図面の簡単な説明】
【００３０】
【図１】本発明の一実施形態に係る広告管理システムの構成を示す図である。
【図２】本発明の一実施形態に係る広告管理サーバの構成を示すブロック図である。
【図３】本発明の一実施形態に係る広告情報データベースの構成を示す図である。
【図４】本発明の一実施形態に係る広告アクセス履歴リストの構成を示す図である。
【図５】本発明の一実施形態に係る印刷装置の構成を示すブロック図である。
【図６】本発明の一実施形態に係る印刷装置の動作を示す流れ図である。
【図７】本発明の一実施形態に係る広告管理サーバの動作を示す流れ図である。
【図８】本発明の一実施形態に係る携帯端末の動作を示す流れ図である。
【発明を実施するための形態】
【００３１】
以下、図面に基づき本発明の実施形態を説明する。
【００３２】
図１は、本発明の一実施形態に係る広告管理システム５を示している。広告管理システム５は、広告管理サーバ１０と、印刷装置２０とをネットワークを通じて通信可能に接続して構成される。
【００３３】
印刷装置２０は、有料の複写サービスを提供するための装置で複写機または複合機などで構成されており、たとえば、コンビニエンス・ストア、大学、図書館などに設置される。広告管理サーバ１０は、印刷装置２０で複写サービスを利用する利用者に対して、印刷装置２０がその複写物（印刷物）に添付した広告を閲覧してもらうことで複写料金を割り引くサービス（広告サービス）を提供するためのサーバである。たとえば、広告主（スポンサー企業）から顧客向けの広告宣伝の委託（広告の提供依頼）を受けて上記の広告サービス業務を行う専門の広告サービス運営会社、または、その広告サービスに連動された上記の複写サービスを提供する複写サービス運営会社などに設置される。
【００３４】
印刷物への広告の添付は、ここでは、広告自体を印刷物に添付する代わりに、広告主が開設しているＷｏｒｌｄ Ｗｉｄｅ Ｗｅｂサイト内の広告ページ（Ｗｅｂ上の広告）へのアクセス情報を添付するようになっている。複写サービスの利用者は、この印刷物に添付されたアクセス情報の示す広告ページに携帯端末などでアクセスして広告を閲覧するようになっている。印刷装置２０は、印刷物に広告ページへのアクセス情報を付加して出力する出力装置としての機能を果たし、広告管理サーバ１０は、印刷装置２０が印刷物に付加するアクセス情報を管理し選択する機能を果たす。そして、広告管理システム５は、広告サービスを複写サービスと連動させた連動型広告サービスを提供するシステムとして構成されている。
【００３５】
まず、本実施形態に係る連動型広告サービスの概要について説明する。広告管理サーバ１０は、インターネット６０に接続されており、インターネット上における広告主のＷｅｂサイト（公開されている一連のＷｅｂページ群）を管理するＷｅｂサーバや管理サーバなどのサーバ７０（７０ａ、７０ｂ、７０ｃ、７０ｄ・・・）にアクセス可能とされている。広告主のＷｅｂサイト７１（７１ａ、７１ｂ、７１ｃ、７１ｄ・・・）には、広告７３（７３ａ、７３ｂ、７３ｃ、７３ｄ・・・）が掲載された（埋め込まれた）Ｗｅｂページである広告ページ７２（７２ａ、７２ｂ、７２ｃ、７２ｄ・・・）が設けられており、広告ページ７２には無料チケット取得ボタン７４（７４ａ、７４ｂ、７４ｃ、７４ｄ・・・）が設けられている。
【００３６】
広告ページ７２に埋め込む広告は、文字、静止画像、動画像などの各種の表示形態を用いることができる（文字広告／静止画広告／動画広告）。また、単一の表示形態に限らず、複数の表示形態を組み合わせて構成するようにしてもよい。
【００３７】
印刷装置２０は、複写サービスの利用時に（Ｆ０）、広告管理サーバ１０から受信した広告ページへのアクセス情報８０（Ｆ２）を原稿コピーによる印刷物９０に添付して出力し利用者Ｕに提供する（Ｆ３）。利用者Ｕは、自分の携帯端末５０などからアクセス情報８０を用いてインターネット６０に接続し、このアクセス情報８０の示す広告主のＷｅｂサイト７１内の広告ページ７２にアクセスすると（Ｆ４／Ｆ５）、そのページが端末の画面に表示されてページ内の広告７３を閲覧することができ（Ｆ６）、さらに同ページ内の無料チケット取得ボタン７４をクリックすることで複写サービスの無料チケットとなるチケットコード８１をダウンロードすることができる（Ｆ７）。利用者Ｕがこの無料チケット（チケットコード８１）を取得して次回以降の複写サービスに使用すると（Ｆ８）、１回限り無料で複写印刷を行うことができる（Ｆ０）。この広告ページ７２へのアクセスで広告７３（Ｗｅｂ上の広告）が閲覧され広告効果が得られたことの代価として、利用者Ｕの複写料金を広告主が負担するサービス形態が本例の複写サービスに連動した連動型広告サービスの概要である。
【００３８】
上記のように、利用者はＷｅｂ上の広告へのアクセスや無料チケットのダウンロードをインターネット６０に接続可能な携帯端末５０などで行うことができる。携帯端末５０は、たとえば、無線電話機能、データ保存機能、インターネット接続機能、赤外線通信機能、撮影機能、撮影機能で読み取った二次元コードを文字情報に復号化する復号化機能などを備えた携帯電話機で構成される。本実施形態の広告管理システム５は、この携帯端末５０も含んで構成されている。
【００３９】
図２は、広告管理サーバ１０の構成を示している。広告管理サーバ１０は、制御部としてのＣＰＵ（Central Processing Unit）１１に、バス１２を介してＲＯＭ（Read Only Memory）１３と、ＲＡＭ（Random Access Memory）１４と、ハードディスク装置（Hard Disk Drive；ＨＤＤ）１５と、表示部１６と、操作部１７と、通信部１８とを接続して構成される。
【００４０】
ＣＰＵ１１は、ＲＯＭ１３に格納されているプログラムに基づいて広告管理サーバ１０の動作を制御する。ＲＯＭ１３には、ＣＰＵ１１によって実行される各種プログラムや各種の固定データが記憶されている。ＲＡＭ１４は、ＣＰＵ１１がプログラムを実行する際に各種のデータを一時的に格納するワークメモリや送受信に係るデータを一時的に保存する通信バッファなどとして使用される。
【００４１】
ハードディスク装置１５には、広告に関する各種情報（広告情報）を保存・管理する広告情報データベース４０と、利用者毎の広告へのアクセス履歴を保存・管理する広告アクセス履歴リスト４１が記憶される。
【００４２】
表示部１６は、液晶ディスプレイなどの表示装置で構成される。操作部１７は、キーボード、マウス（ポインティングデバイス）などの入力装置で構成される。これらの表示部１６と操作部１７を通して、広告管理サーバ１０に関する各種設定や広告情報の登録などが行われる。
【００４３】
通信部１８は、ＬＡＮ  Ｉ／Ｆ（Local Area Network Interface）を備え、ネットワークなどの通信路を介して印刷装置２０と通信し各種データを送受信する。また、広告主のＷｅｂサイト７１を管理するサーバ７０とインターネット６０を通じて通信し各種データを送受信する。
【００４４】
図３は、広告情報データベース４０を示している。広告情報データベース４０には、広告（広告対象）のジャンル毎に分けられて、そのジャンルを示すジャンル情報と、広告ＩＤ（Identification）と、図１に示した広告主のＷｅｂサイト７１におけるトップページ（トップ画面のＷｅｂページ）へのアクセス情報と、Ｗｅｂサイト７１内の広告ページ７２へのアクセス情報と、無料チケットのチケットコード８１と、広告ページ７２内の広告７３の更新履歴情報とが対応付けて記憶される。
【００４５】
広告ＩＤは、広告主および広告（広告種）を識別するための識別情報である。Ｗｅｂサイト７１におけるトップページおよび広告ページへのアクセス情報は、たとえば、ＵＲＬ(Uniform Resource Locator)などのアドレス情報である。
【００４６】
広告ＩＤおよびＷｅｂサイトのトップページへのアクセス情報（Ｗｅｂサイトアドレス（トップページアドレス））の登録と、広告のジャンル分類とは、広告管理サーバ１０の管理者などが行う。広告ページへのアクセス情報（広告ページアドレス）は、同管理者などが登録するようにしてもよく、図１に示すように、広告管理サーバ１０がＷｅｂサイトアドレスに基づいてインターネット６０上の広告主のＷｅｂサイト７１（サーバ７０）にアクセスして自動取得したアクセス情報８０（Ｗｅｂサイト７１内でリンクされている広告ページ７２のアドレス情報）を登録するようにしてもよく、広告管理サーバ１０が広告主のサーバ７０のＩＰアドレスを保持しており、その広告主のサーバ７０に問い合わせて送信を受けることにより取得したアクセス情報８０を登録するようにしてもよい。
【００４７】
本例の広告情報データベース４０では、広告主１つ当たり、１つの広告（広告ＩＤ／広告ページアドレス）および１つのＷｅｂサイト（Ｗｅｂサイトアドレス）を登録した構成となっているが、この広告情報データベース４０に登録する広告主１つ当たりの広告の数やＷｅｂサイトの数は任意である。たとえば、１つの広告主が複数のＷｅｂサイトを開設していたり、１つのＷｅｂサイト内に複数の広告ページをリンクしていたりする場合には、それらのＷｅｂサイトアドレス、および、広告ＩＤと広告ページアドレスが登録依頼（広告の提供依頼）に応じて登録される。
【００４８】
チケットコードは、広告主のサーバ７０が利用者の携帯端末５０などから無料チケットの取得要求（ダウンロード要求）を受けたときに、すなわち、広告ページ７２内に埋め込まれている無料チケット取得ボタン７４のクリック操作を受け付けたときに、その広告主のサーバ７０が発行するようになっている。無料チケットの取得要求を受けたサーバ７０は、発行毎に異なる個別のチケットコードを発行して要求元（利用者の携帯端末５０など）と広告管理サーバ１０へ送信する（図１参照）。
【００４９】
広告管理サーバ１０は、受信したチケットコードを対応する広告ＩＤに対応付けて広告情報データベース４０に登録する（詳細は後述）。また、広告主のサーバ７０は、無料チケットの取得要求を受けるたびに個別のチケットコードを発行してその要求元と広告管理サーバ１０へ送信し、広告管理サーバ１０は広告主のサーバからチケットコードを受信するたびに対応する広告ＩＤに対応付けて広告情報データベース４０に登録する。
【００５０】
利用者が携帯端末５０などで広告ページへアクセスして取得したチケットコードは、複写サービスにおいて１回限り有効の無料チケットとしての機能と、広告ページへアクセスして広告を閲覧したことを証明する証明情報（広告アクセス・閲覧証明情報）としての機能とを有している。
【００５１】
ここでは、無料チケットを１回限り有効とし、かつ、その真正判定（有効判定）を行うために、広告主のサーバ７０は発行毎に異なる個別のチケットコードを利用者と広告管理サーバ１０とに送信する。広告管理サーバ１０は、広告主のサーバ７０から受信したチケットコードを広告情報データベース４０に登録しておき、利用者が無料チケットを使用したときにそのチケットコードと広告情報データベース４０に登録されているチケットコードとを照合して一致するものが見つかれば真正品であると判定し（チケット認証）、その一致したチケットコードを広告情報データベース４０から削除するようになっている。広告管理サーバ１０が広告主のサーバ７０から受け取ったチケットコードは、このように無料チケットを照合・認証するための照合情報（認証情報）としての機能を有している。
【００５２】
ここでは、チケットコードは上記の１回限り有効の無料チケットとしての機能と、広告ページへのアクセスおよび広告の閲覧を証明する証明情報としての機能とを果たすために、たとえば、ワンタイムパスコードと広告ＩＤなどを含んだコード情報で構成される。ワンタイムパスコードは、タイムスタンプ方式などの周知の各種方式によって生成したコードデータを用いることができる。タイムスタンプ方式の場合は、たとえば、発行時点の「年／月／日／時／分」などの日時情報によるコードデータが用いられる。また、他の種類のチケット、たとえば、割引チケットや所定数で１回無料などポイントチケットなども扱っているような場合には、チケットコードにチケット種を識別するためのチケットＩＤを含ませるようにしてもよい。図３に示すチケットコードは、これらの情報を全て含んだ場合の一例を示している。
【００５３】
例：ＣＰＳＦＴ−Ａ１１１１−２００９０１２３１３１５
［チケットＩＤ−広告ＩＤ−ワンタイムパスコード（年/月/日/時/分）］
【００５４】
チケットコードには、更に発行元（送信元）のサーバ７０の識別情報（サーバＩＤやＩＰ（Internet Protocol）アドレスなど）、チケットの有効期限（たとえば、数ヶ月や数年など）を示す有効期限情報などを含ませるようにしてもよい。また、チケットコードは所定の暗号関数を用いて暗号化するようにしてもよい。
【００５５】
上記例のように、チケットコードには広告ＩＤが含まれており、広告管理サーバ１０は、広告主のサーバ７０から受信したチケットコードに含まれている広告ＩＤに基づいて、広告情報データベース４０内の対応する広告ＩＤ（同一の広告ＩＤ）に対応付けてそのチケットコード（照合情報）を広告情報データベース４０に登録するようになっている。
【００５６】
また、広告管理サーバ１０は、この無料チケットおよび証明情報としての機能を有するチケットコードと後述するユーザＩＤとを利用者から印刷装置２０を介して受け取り、広告情報データベース４０に登録されている照合情報としてチケットコードと照合・認証できた場合に、ユーザＩＤに基づいて識別したその利用者が広告ページへ実際にアクセスして広告を実際に閲覧したことを認識するようになっている。さらに、印刷装置２０にこの利用者の使用した無料チケットが真正品であることを通知するようになっている（認証通知）。
【００５７】
また、広告主のサーバ７０は、広告ページ７２内の広告７３などが更新されると、その広告更新情報（８３）を広告管理サーバ１０へ送信するようになっている（図１参照）。広告管理サーバ１０は、広告更新情報を受信すると対応する広告ＩＤの更新履歴情報を更新有り（「○」）に変更する（図３参照）。この更新履歴情報は、たとえば、変更してから所定期間（数週間または数ヶ月など）を経過するとリセットするようにしてもよい。
【００５８】
図４は、広告アクセス履歴リスト４１を示している。広告アクセス履歴リスト４１には、広告（広告対象）のジャンルに分けられて、広告ＩＤと、ユーザＩＤ毎の広告へのアクセス履歴情報とが対応付けて記憶される。ユーザＩＤは、複写サービスを利用した利用者（ユーザ）の所持する携帯端末５０（携帯電話機）の電話番号などである。アクセス履歴情報は、利用者による広告ページへのアクセスの有無を示すと共に、その広告ページ内の広告の閲覧の有無を示す広告閲覧履歴情報としても機能する。
【００５９】
広告管理サーバ１０は、図１に示すように、利用者の携帯端末５０からユーザＩＤ８２と無料チケットのチケットコード８１を、印刷装置２０を介して取得する。取得したユーザＩＤが図４に示す広告アクセス履歴リスト４１に登録されていない場合には、そのユーザＩＤを新規登録する。また、取得したチケットコードに含まれている広告ＩＤから広告主と広告を識別し、その広告に対するユーザＩＤ（利用者）のアクセス履歴情報をアクセス有り（「○」）に変更するようになっている。このアクセス履歴情報は、たとえば、変更してから所定期間（数ヶ月または数年など）を経過するとリセットするようにしてもよい。
【００６０】
図５は、印刷装置２０の構成を示している。印刷装置２０は、原稿を光学的に読み取って取得した画像データに基づいて原稿画像の複製画像を記録紙に印刷して出力するコピー機能、その印刷物に広告アクセス情報を印刷して付加する広告情報付加機能、その印刷物に付加する広告アクセス情報を文字情報から二次元コードなどに符号化する符号化機能などを備えた複写機または複合機などで構成されている。
【００６１】
印刷装置２０は、制御部としてのＣＰＵ２１に、バス２２を介してＲＯＭ２３と、ＲＡＭ２４と、表示操作部２５と、赤外線通信部２６と、スキャナ部２７と、プリンタ部２８と、画像処理部２９と、通信部３０とを接続して構成される。
【００６２】
ＣＰＵ２１は、ＲＯＭ２３に格納されているプログラムに基づいて印刷装置２０の動作を制御する。ＲＯＭ２３には各種のプログラムが格納されており、これらのプログラムに従ってＣＰＵ２１が処理を実行することにより上記の各機能が実現される。ＲＡＭ２４はＣＰＵ２１がプログラムを実行する際に各種のデータを一時的に格納するワークメモリや画像データを格納する画像メモリ、送受信に係るデータを一時的に保存する通信バッファなどとして使用されるランダム・アクセス・メモリである。
【００６３】
表示操作部２５は、各種の操作画面、コピーモード選択画面、コピー設定画面などを表示する機能および利用者（ユーザ）から各種の操作を受け付ける機能を果たす。表示操作部２５は、たとえば、液晶ディスプレイなどで構成された表示部と、その画面上に設けられて押下された座標位置を検出するタッチパネルやテンキーや文字入力キー、スタートキーなどの操作部を備えて構成される。
【００６４】
コピーモード選択画面では、通常コピーモードまたは広告情報添付コピーモードを選択することができる。コピー設定画面では、コピーに関する各種の設定、たとえば、複写印刷を行う記録紙のサイズ（Ａ４／Ａ３など）、印刷方向（縦方向／横方向）、片面印刷／両面印刷、複数ページを１ページに集約して印刷する集約印刷（２ｉｎ１／４ｉｎ１など）、モノクロ／カラー、倍率、部数などを設定することができる。
【００６５】
赤外線通信部２６は、携帯端末５０などと赤外線通信によってデータを送受信する機能を果たす。
【００６６】
スキャナ部２７は、原稿を光学的に読み取って画像データを取得する機能を果たす。スキャナ部２７は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００６７】
プリンタ部２８は、画像データに応じた画像を記録紙に印刷する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。他の方式のプリンタであっても構わない。
【００６８】
画像処理部２９は、画像データに対して、画像補正、回転、拡大／縮小、圧縮／伸張など各種の画像処理を施す機能を果たす。
【００６９】
通信部３０は、ＬＡＮ  Ｉ／Ｆを備え、ネットワークなどの通信路を介して広告管理サーバ１０と通信し各種データを送受信する。通信部３０には、印刷装置２０による複写サービスの利用料金（複写課金額）を徴収する課金装置３５がケーブル３６を介して接続されている。課金装置３５は、コインベンダやプリペイドカードベンダなどで構成され、印刷装置２０から受信したコピー設定情報と印刷枚数情報に基づく複写課金額を徴収する機能を果たす。
【００７０】
次に、広告管理システム５の動作を説明する。図６は、印刷装置２０によるコピー動作の流れを示している。図７は、広告管理サーバ１０による広告の選択およびアクセス情報の抽出の動作の流れを示している。図８は、携帯端末５０による広告ページへのアクセス動作の流れを示している。ここでは、図１を用いて広告管理システム５による各種データの流れと全体の動作を説明しつつ、広告管理サーバ１０、印刷装置２０、携帯端末５０による上記の個々の動作を要所で交えながら説明する。
【００７１】
図１に示すように、広告管理システム５の印刷装置２０で複写サービスを利用する利用者Ｕは（Ｆ０）、無料チケット（チケットコード８１）を持っていなければ有料でコピーを行うことになる。利用者Ｕは、印刷装置２０で原稿のコピーを行うに当たり、表示操作部２５に表示されるコピーモード選択画面を通してコピーモードを選択する。次回以降に無料チケットを使用して無料でコピーを行いたければ、広告添付コピーモードを選択する。その必要がなければ、通常コピーモードを選択する。また必要に応じて、表示操作部２５に表示されるコピー設定画面を通してコピーに関する設定（記録紙サイズ、印刷方向、片面／両面、モノクロ／カラー、部数など）を行う。利用者Ｕがこれらの選択、設定と、印刷装置２０への原稿のセットと、課金装置３５への硬貨、紙幣、プリペードカードなどの投入を行ってスタートボタンを押下すると、印刷装置２０はコピーを開始する。
【００７２】
図６に示すように、印刷装置２０では、通常コピーモードが選択されている場合には（ステップＳ１０１；通常）、ＣＰＵ２１は通常コピー処理（ステップＳ１０２）および課金処理（ステップＳ１０７）を行い、利用者Ｕから今回依頼された通常コピーモードによるコピーを終了する（エンド）。
【００７３】
通常コピー処理では、ＣＰＵ２１はスキャナ部２７を制御して原稿を読み取り画像データを取得する。また、プリンタ部２８および画像処理部２９を制御して、原稿の画像データに基づく画像をコピー設定に応じた条件で記録紙に印刷して出力する。
【００７４】
課金処理では、ＣＰＵ２１はコピー設定情報および印刷枚数情報を課金装置３５に送信する。印刷枚数情報の送信は、たとえば、記録紙（印刷物）が出力されたことを検知するたびにその検知信号（枚数カウント信号）を送信するなどの動作で行う。課金装置３５は、コピー設定情報に基づく印刷１枚当たりの課金額を、検知信号を受信するたびに課金するなどの動作によって、複写サービスの合計の利用料金（印刷１枚当たり課金額×印刷枚数）を徴収する。
【００７５】
なお、この通常コピーモードで無料チケットが使用された場合には、図の破線で示すように課金処理を行わずに今回のコピーを終了する（エンド）。
【００７６】
広告添付コピーモードが選択されている場合には（ステップＳ１０１；広告添付）、ＣＰＵ２１は無料チケットが使用されたか否か、詳細には、ユーザＩＤと無料チケットのチケットコードが入力されたか否かを判断する（ステップＳ１０３）。ここでは、無料チケットが使用されていないため（ステップＳ１０３；Ｎｏ）、ステップＳ１０４へ移行する。
【００７７】
ＣＰＵ２１は、広告・アクセス情報要求を広告管理サーバ１０へ送信し（ステップＳ１０４／図１のＦ１）、広告管理サーバ１０から広告へのアクセス情報を受信すると（ステップＳ１０５／図１のＦ２）、広告添付コピー処理を行う（ステップＳ１０６）。この処理では、ＣＰＵ２１は広告へのアクセス情報を二次元コードに符号化する。また、スキャナ部２７が読み取った原稿画像（画像データ）から余白領域を検出する。
【００７８】
１枚目の原稿の表面から検出した余白領域、たとえば、原稿表面における下部の余白領域などに、二次元コード化したアクセス情報を添付するための十分な余白スペースがない場合には、原稿裏面の余白領域を検出してその余白スペースを見つけ出す。１枚目の原稿の裏面にもその余白スペースがない場合には、２枚目以降の原稿に対して順番に同様の余白スペースの検索を行う。
【００７９】
ＣＰＵ２１は、見つけ出した余白スペースに二次元コード化したアクセス情報を印刷するようプリンタ部２８および画像処理部２９を制御して、図１のＦ３に示すように、二次元コード化したアクセス情報８０を余白スペースに添付した印刷物９０を出力させる。そして、上述した課金処理を行い（図６のステップＳ１０７）、利用者Ｕから今回依頼された広告添付コピーモードによるコピーを終了する（エンド）。
【００８０】
図７に示すように、広告管理サーバ１０では、印刷装置２０から広告・アクセス情報要求を受信すると（ステップＳ１２１／図１のＦ１）、ＣＰＵ１１はこの要求にユーザＩＤと無料チケットのチケットコードが付加されているか否かを判断する（ステップＳ１２２）。ここでは、それらの情報が付加されていないため（ステップＳ１２２；Ｎｏ）、ステップＳ１２３へ移行する。
【００８１】
ＣＰＵ１１は、広告情報データベース４０に登録されている複数の広告・アクセス情報の中から無作為に１つのアクセス情報を選択・抽出し（ステップＳ１２３）、そのアクセス情報を印刷装置２０へ送信し（ステップＳ１２４／図１のＦ２）、今回の広告・アクセス情報要求に対する動作を終了する（エンド）。
【００８２】
図１に示すように、利用者Ｕが印刷装置２０で広告添付コピーモードによる原稿コピーを行った場合には、二次元コードのアクセス情報８０が余白スペースに添付された印刷物９０を受け取ることができる。なお、印刷物９０の余白スペースには、アクセス情報８０によるアクセス先の広告がどのような広告であるのかを利用者に即理解してもらうために、たとえば、広告のジャンル、広告主名、商品名、広告ページの通称などを文字でアクセス情報８０と共に印刷するようにしてもよい。それらの広告に関する各種の文字情報は、広告情報データベース４０に予め登録しておき、広告管理サーバ１０がアクセス情報８０と共に印刷装置２０へ送信するようにすればよい。
【００８３】
利用者Ｕは、受け取った印刷物９０に添付されている二次元コードのアクセス情報８０を携帯端末５０の撮影機能で読み取り、復号化機能で文字のアクセス情報８０に復号化して携帯端末５０内に保存することができる。また、携帯端末５０をインターネット６０に接続し、このアクセス情報８０によって示されるアドレス（ＵＲＬ）の広告ページ７２にアクセスすることができる（Ｆ５）。アクセスするとその広告ページ７２（Ｗｅｂサイト７１）を管理する広告主のサーバ７０からアクセス先の広告ページ７２のデータが携帯端末５０に転送されて端末の画面に表示される（Ｆ６）。
【００８４】
利用者Ｕは、この携帯端末５０の画面に表示された広告ページ７２内の広告７３を閲覧することで広告内容を理解する。この広告ページ７２へのアクセスによる広告７３の閲覧を受けた広告主は、広告効果が得られる。
【００８５】
また、利用者Ｕが携帯端末５０を操作して広告ページ７２内の無料チケット取得ボタン７４をクリックした場合は、アクセス先のサーバ７０が自動発行した１回限り有効である複写サービス・無料チケットのチケットコード８１がそのサーバ７０からダウンロードされて携帯端末５０内に保存される（Ｆ７）。以上の利用者Ｕの操作による携帯端末５０の動作は、図８に示す通りである。
【００８６】
また、上記サーバ７０は携帯端末５０に送信したチケットコードと同一のチケットコード（照合情報）を広告管理サーバ１０にも送信する。広告管理サーバ１０は、受信したチケットコードに含まれている広告ＩＤに基づき、広告情報データベース４０内の同一の広告ＩＤに対応付けてそのチケットコードを広告情報データベース４０に登録する（図３参照）。
【００８７】
無料チケットを取得した利用者Ｕは、そのチケットを使用して複写サービスを１回のみ無料で利用することができる。図１に示すように、利用者Ｕは、印刷装置２０で無料チケットを使用して原稿コピーを行うに当たり（Ｆ０）、前述したコピーモードの選択、コピーに関する設定、原稿のセットなどを行う。また課金装置３５への利用料金投入に替えて、印刷装置２０の操作画面を通して印刷装置２０を無料チケット入力モードにする。このモードでは、印刷装置２０は赤外線通信部２６を作動させて赤外線通信によるデータ受信可能状態で待機する。利用者Ｕは、携帯端末５０内に保存されているユーザＩＤ８２（携帯電話番号など）とチケットコード８１を指定して、赤外線通信機能により携帯端末５０から印刷装置２０へ送信する（Ｆ８）。
【００８８】
図６に示すように、印刷装置２０では、広告添付コピーモードが選択されている場合には（ステップＳ１０１；広告添付）、携帯端末５０から送信されたユーザＩＤとチケットコードを赤外線通信部２６で受信すると、ＣＰＵ２１はこれらのデータを広告・アクセス情報要求に付加して広告管理サーバ１０へ送信する（ステップＳ１０８／図１のＦ９）。
【００８９】
図７に示すように、広告管理サーバ１０では、印刷装置２０から受信した広告・アクセス情報要求にユーザＩＤとチケットコードが付加されている場合には（ステップＳ１２１→ステップＳ１２２；Ｙｅｓ）、ＣＰＵ１１は、そのチケットコードを広告情報データベース４０に登録されているチケットコードと照合し、一致するものを検索する（図３参照）。一致するものが検出されて照合・認証した場合は、一致する両チケットコードに含まれている同一の広告ＩＤに基づいて広告主と広告を特定し（ステップＳ１２５）、広告情報データベース４０内のその一致したチケットコードを削除する（ステップＳ１２５）。また、受信したユーザＩＤが広告アクセス履歴リスト４１に登録されていない場合には、そのユーザＩＤを新規登録する（図４参照）。
【００９０】
ＣＰＵ１１は、この広告アクセス履歴リスト４１において、上記の特定した広告（広告ＩＤ）に対するユーザＩＤ（利用者）のアクセス履歴情報をアクセス有り（「○」）に変更する。そして、広告アクセス履歴リスト４１に登録されている複数の広告（広告ＩＤ）に対するこのユーザＩＤのアクセス履歴（アクセスの有無）を確認し（ステップＳ１２６）、そのアクセス履歴に基づいて広告情報データベース４０に登録されている複数の広告・アクセス情報の中からこのユーザＩＤの利用者に提供する適宜な広告・アクセス情報を選択・抽出する（ステップＳ１２７）。この選択および抽出の動作は、ここではデータベース４０に登録されている広告へのアクセス情報を直接的に選択して抽出する動作となっているが、詳細には（実質的には）、利用者に提供する適宜な広告を選択し、その広告に対応するアドレス情報を抽出する動作となっている。
【００９１】
広告の選択およびその広告に対応するアクセス情報の抽出は、たとえば、以下の４つの方法などで行う。
【００９２】
（１）アクセス履歴のない広告を選択し、その広告に対応するアクセス情報を抽出する。
【００９３】
（２）アクセス履歴があり、かつ、そのアクセス履歴以降に更新履歴のある広告を選択し、その広告に対応するアクセス情報を抽出する。広告更新後のアクセスであるか否かの判断は、たとえば、広告情報データベース４０の更新履歴情報として更新日時を記憶し、かつ、広告アクセス履歴リスト４１のアクセス履歴情報としてアクセス日時を記憶するようになっており、これらの日時情報を比較することで行う。
【００９４】
（３）アクセス履歴のある広告と同ジャンルに分類されている他の広告（同カテゴリーの他の広告）を選択し、その広告に対応するアクセス情報を抽出する。具体的には、たとえば、複数の車メーカーの広告が同ジャンルに分類されている場合に、特定の車メーカーの広告に対してアクセス履歴がある場合は、他の車メーカーの広告を選択する。
【００９５】
（４）アクセス履歴のある広告と類似ジャンルに分類されている広告（類似カテゴリーの広告）を選択し、その広告に対応するアクセス情報を抽出する。たとえば、ジャンルの類似関係を予めテーブル（類似ジャンルテーブル）に登録しておき、そのテーブルを参照して類似ジャンルを特定し、その類似ジャンル内の広告を選択する。具体的には、たとえば、自動車関連の広告である車メーカーの広告とタイヤメーカーの広告とが類似ジャンルに分類されている場合に、車メーカーの広告に対してアクセス履歴がある場合は、タイヤメーカーの広告を選択する。
【００９６】
ＣＰＵ１１は、無料チケットの認証通知と、上記の選択・抽出した広告・アクセス情報を印刷装置２０に送信し（ステップＳ１２４／図１のＦ２）、今回の広告アドレス要求に対する動作を終了する（エンド）。
【００９７】
図６に示すように、印刷装置２０では、広告管理サーバ１０から無料チケットの認証通知と広告・アクセス情報を受信すると（ステップＳ１０９／図１のＦ２）、ＣＰＵ２１は無料チケット入力モードを解除し、コピー開始受付状態で待機する。ここでスタートボタンが押下されると、ＣＰＵ２１は前述したステップＳ１０６と同様の広告添付コピー処理を行い（ステップＳ１１０）、印刷物の出力を完了すると課金処理を行わずに、利用者Ｕから今回依頼された広告添付コピーモードによるコピーを終了する（エンド）。
【００９８】
今回の印刷物にも二次元コード化された広告へのアクセス情報が添付されており（図１参照）、利用者Ｕは、このアクセス情報を携帯端末５０で読み取って用いてインターネット６０上の広告ページ７２にアクセスし、無料チケットを取得することで、再度、複写サービスを無料で利用することができる。また、この広告添付コピーモードによるコピーと、その印刷物に添付されるアクセス情報を用いた広告ページへのアクセスによる無料チケットの取得を繰り返すことで、複写サービスを毎回無料で利用することも可能となる。
【００９９】
なお、図６の通常コピー処理（ステップＳ１０２）で無料チケットを使用する場合の詳細な動作は説明を省略したが、この場合も印刷装置２０は広告管理サーバ１０にユーザＩＤと無料チケットのチケットコードを送信し、広告管理サーバ１０でチケットコードが照合・認証されたことを受けて複写料金を無料にするよう動作する。また、広告管理サーバ１０は広告・アクセス情報の選択・抽出、および送信を行わないが、この場合もチケットコードにより特定した広告（広告ＩＤ）に対するユーザＩＤ（利用者）のアクセス履歴情報をアクセス有りに変更するよう動作する。
【０１００】
このように、本実施形態に係る広告管理システム５では、利用者に広告閲覧のためのアクセス行為を求める、詳細には、印刷装置２０による複写サービスの利用によって印刷物９０に添付されたアクセス情報によるＷｅｂ上の広告（Ｗｅｂサイト内の広告ページ）へのアクセスを求めると共に、その広告へのアクセスによって取得された無料チケット（広告アクセス・閲覧証明情報）を次回以降の複写サービスの利用時に広告管理サーバ１０が印刷装置２０を介して受け取ることにより、実際にアクセスされて閲覧された広告と、実際にはアクセスされずに閲覧されていない広告とを正確に把握することができる。すなわち、アクセス情報を通じて提供した広告を利用者が実際に閲覧したことの広告閲覧履歴を正確に認識することができる。
【０１０１】
そして、利用者が実際にアクセスした広告のアクセス履歴（広告閲覧履歴）を広告アクセス履歴リスト４１に記憶して管理し、広告情報データベース４０に登録されている複数の広告（アクセス情報）の中から利用者に提供する広告を選択してアクセス情報を抽出する際は、この実際のアクセス履歴に基づいて選択および抽出を行う。このような利用者の実際のアクセス履歴（広告閲覧履歴）に基づくことで、利用者にとって広告効果の高い適宜な広告を選択し、そのアクセス情報を抽出できるようになる。したがって、高い広告効果をもたらすことができる。
【０１０２】
また、利用者は印刷物９０に添付された二次元コードのアクセス情報８０を携帯端末５０で読み取って端末内に自動入力することができ、アクセス情報８０が文字で添付されて手入力するような場合に比べて入力操作が簡単になる。
【０１０３】
また、広告アクセス履歴リスト４１では利用者毎にアクセス履歴を記憶管理するようにし、利用者から取得したユーザＩＤに基づいてその利用者を識別し、その利用者に対応するアクセス履歴に基づいて適宜な広告の選択およびアクセス情報の抽出を行う。これにより、利用者毎に広告効果の高い広告を提供できるようになる。
【０１０４】
また、広告の選択およびアクセス情報の抽出で、（１）アクセス履歴のない広告の選択とアクセス情報の抽出を行う場合には、実際にアクセス（閲覧）された広告を除いた、アクセス（閲覧）されていない広告を選択して提供できるようになり、以前に提供したが実際にはアクセスされていなかった広告などが再提供されるようになる。この実際にアクセスされた広告の重複提供防止と、実際にはアクセスされていなかった広告の再提供によって、広告効果が高められる。
【０１０５】
（２）アクセス履歴があり、かつ、そのアクセス履歴以降に更新履歴のある広告の選択とアクセス情報の抽出を行う場合には、利用者が実際に閲覧した利用者の嗜好に沿った広告（マッチング率の高い広告）の更新情報を優先的に提供することができ、広告効果が高められる。
【０１０６】
（３）／（４）実際にアクセス（閲覧）された広告と同ジャンルに分類されている他の広告、または、類似ジャンルに分類されている広告の選択とアクセス情報の抽出を行う場合には、利用者が実際に閲覧した利用者の嗜好に沿った広告と対象（広告の対象商品や対象サービスなど）の近似する広告を優先的に提供することができ、広告効果が高められる。
【０１０７】
以上、本発明の一実施形態を図面によって説明してきたが、具体的な構成はこの実施形態に示したものに限られるものではなく、本発明の要旨を逸脱しない範囲における変更や追加があっても本発明に含まれる。
【０１０８】
たとえば、個人情報保護の観点からユーザＩＤ（個人識別情報）に携帯電話番号などの個人情報を使用しないようにする場合には、専用のユーザＩＤを使用するようにしてもよい。実施形態で説明した複写サービスの場合では、印刷装置にユーザ登録受付機能を付加し、ユーザ登録画面を通して登録を行った利用者（ユーザ）に対し、広告管理サーバが複写サービス専用の個別のユーザＩＤを発行するなどして、その専用のユーザＩＤを使用するようにしてもよい。
【０１０９】
この場合の印刷装置へのユーザ登録情報の入力は、実施形態で説明した赤外線通信機能を用いて行えるように構成してもよい。また、このユーザ登録情報や、無料チケット使用時のユーザＩＤとチケットコードの入力方法は、赤外線通信による簡易操作の入力に限らず、手入力としてもよい。
【０１１０】
実施形態では、Ｗｅｂ上の広告（広告ページ）へのアクセスおよび閲覧を証明する証明情報としての機能を有する無料チケットと、そのアクセス行為を行った利用者を識別するためのユーザＩＤとを印刷装置が利用者からの入力を受けて広告管理サーバへ送信するようにしており、このユーザＩＤを利用者毎のアクセス履歴管理用のユーザＩＤ（識別情報）と兼用するようにしている。この利用者毎のアクセス履歴管理用のユーザＩＤを広告管理サーバへ送信（入力）する構成は、印刷装置を介して行う構成に限らず、広告主のサーバなどが行うように構成してもよい。
【０１１１】
たとえば、広告主のサーバがＷｅｂサイト内の広告ページへアクセスした利用者にユーザＩＤの入力を求め、その入力されたユーザＩＤを、広告アクセス・閲覧証明情報としての機能を持たせた広告ＩＤなどと共に広告管理サーバへ送信する。広告管理サーバがこれらの情報を受信して、広告アクセス履歴リストに利用者のユーザＩＤを新規登録したり、広告へのアクセス履歴を記憶（更新）したりするようにしてもよい。この場合の利用者のユーザＩＤも、個人情報保護の観点から携帯電話番号などではなく専用のユーザＩＤを使用することが好ましい。
【０１１２】
また、ユーザＩＤを使用せずに利用者毎のアクセス履歴を管理することも可能である。たとえば、携帯端末内にＷｅｂ上の広告（広告ページ）へのアクセス履歴情報を残し、この情報を印刷装置に入力して広告管理サーバが受け取るなどの構成により、広告管理サーバは受け取ったアクセス履歴情報に基づいてその利用者に提供する適宜な広告を選択しアクセス情報を抽出することができる。またこの構成であれば、広告へのアクセスおよび閲覧を証明するための無料チケット（証明情報）などをそのアクセス先から取得する構成としなくても、携帯端末から印刷装置を介して広告管理サーバへ渡したアクセス履歴情報自体で広告へのアクセスおよび閲覧が証明可能となる。
【０１１３】
上記の証明情報は無料チケットを例に説明したが、割引チケットや料金以外の特典が得られる特典チケットなどの他の種類のチケットでもかまわない。また、これらの各種チケットを１回限り有効とするための構成についても、実施形態で説明したチケットコードの照合・認証による構成に限らない。たとえば、携帯端末から送信したチケットコードが印刷装置で無事に受信されたことの返答を受けて、携帯端末がチケットコードを自動消去するなどの構成とすれば、照合・認証を行わなくとも上記機能を実現できる。また、この構成においてチケットコードの複製による不正使用防止を図るために真正判定を行う場合には、たとえば、利用者から受け取ったチケットコードを広告管理サーバが保存・管理し、既存のチケットコードと同一のチケットコードを受け取った場合は認証拒否するなどの構成とすればよい。
【０１１４】
また、広告（アクセス情報）の出力形態は、印刷装置による印刷出力に限らない。たとえば、印刷装置による表示出力などでもかまわない。この場合も、アクセス情報を二次元コードなどで表示すれば携帯端末による読み取りが可能であり、端末内への入力操作を簡易化することができる。
【０１１５】
また、アクセス情報は二次元コードに限らず、一次元コード（バーコード）や文字情報で出力するようにしてもよい。また、Ｗｅｂ上の広告（広告ページ）へのアクセスは、携帯電話機などで構成される携帯端末に限らず、パーソナルコンピュータなどの他の情報端末から行うようにしてもよい。
【０１１６】
広告主（広告依頼主）から顧客（ユーザ）への広告提供形態は、複写サービスと連動した広告サービス（連動型広告サービス）を例に説明したが、コンテンツ配信サービスなどの他のサービスとの連動型、あるいは非連動型（単独型）など、各種の形態を用いることができる。本発明に係る広告管理システムは、その各種の広告提供形態に適用可能である。
【符号の説明】
【０１１７】
５…広告管理システム
１０…広告管理サーバ
１１…ＣＰＵ
１２…バス
１３…ＲＯＭ
１４…ＲＡＭ
１５…ハードディスク装置
１６…表示部
１７…操作部
１８…通信部
２０…印刷装置
２１…ＣＰＵ
２２…バス
２３…ＲＯＭ
２４…ＲＡＭ
２５…表示操作部
２６…赤外線通信部
２７…スキャナ部
２８…プリンタ部
２９…画像処理部
３０…通信部
３５…課金装置
３６…ケーブル
４０…広告情報データベース
４１…広告アクセス履歴リスト
５０…携帯端末
６０…インターネット
７０（７０ａ、７０ｂ、７０ｃ、７０ｄ）…サーバ
７１（７１ａ、７１ｂ、７１ｃ、７１ｄ）…Ｗｅｂサイト
７２（７２ａ、７２ｂ、７２ｃ、７２ｄ）…広告ページ
７３（７３ａ、７３ｂ、７３ｃ、７３ｄ）…広告
７４（７４ａ、７４ｂ、７４ｃ、７４ｄ）…無料チケット取得ボタン
８０…アクセス情報
８１…チケットコード
８２…ユーザＩＤ
８３…広告更新情報
９０…印刷物
Ｕ…利用者
【図１】
2010204928.tif 000003
【図２】
2010204928.tif 000004
【図３】
2010204928.tif 000005
【図４】
2010204928.tif 000006
【図５】
2010204928.tif 000007
【図６】
2010204928.tif 000008
【図７】
2010204928.tif 000009
【図８】
2010204928.tif 000010